(57)【特許請求の範囲】
【請求項１】
ベースプレートと、
前記ベースプレートの前方に設けられるヒーターと、
電子回路が実装され、前記ヒーターへの通電を制御し、ベースプレートの前方に設けられる制御基板と、
前記ヒーターと前記制御基板の前方に設けられ、略上下左右方向平面の前記制御基板側に開口部を有する前記制御基板の収納凹部を有し、前記ベースプレートと係合される基板ケースと、
前記基板ケースの前方に設けられ、前記ベースプレートと係合されるハウジングと、
前記基板ケース上方且つ前記ハウジングの凹部に設けられるコネクタ孔と、
前記コネクタ孔に装着され、前記制御基板と電気的に接続されるコネクタと、
前記コネクタ孔の下方に設けられ、前記基板ケースの前記制御基板を収納する配設面側の端面よりも前方に設けられ、前記コネクタ位置から前記ハウジング内に侵入した水を一方向へと案内する水案内部と、
前記基板ケースの前記配設面の側とは反対側の非配設面の側へと前記水案内部より案内された水を誘導する第１導水路と、
前記基板ケースに設けられ、前記第１導水路から誘導された水を前記非配設面に沿って前記ハウジングの下方へと誘導する第２導水路と、
を有し、
前記基板ケースは、前記水案内部と前記第１水路と前記第２水路とを前記基板ケースの左右の中央よりも前記コネクタ側に一体形成部として有する手洗い用電気温水器。
【請求項２】
前記第１導水路は、前記第２導水路に向かって下方へ傾斜する請求項１に記載の手洗い用電気温水器。
【請求項３】
前記ハウジングの底面は、前記ハウジング内と外部とを連通し、底面で最も低い位置にある開口部に向かって傾斜する請求項１または２に記載の手洗い用電気温水器。
【請求項４】
前記コネクタ孔は前記ハウジングの側面の凹部の水平方向の閉塞面に設けられ、前記コネクタ孔の最下部は前記凹部の最下部よりも高い位置にある請求項１乃至請求項３のいずれか一項に記載の手洗い用電気温水器。
【発明の詳細な説明】
【技術分野】
【０００１】
本発明は、蛇口あるいは給水栓に接続され、蛇口あるいは給水栓から吐出される水を温水に加熱し、加熱した温水を吐出する手洗い用電気温水器に関する。
【背景技術】
【０００２】
従来技術の手洗い用電気温水器として、入水部と吐出部とを有する貯湯槽と、貯湯槽の水を加熱するヒーターと、貯湯槽を囲繞するケースおよびハウジングと、ケースから突出し貯湯槽の入水部及び吐出部にそれぞれ連通した給水口および出湯口とを備え、ケースとハウジングとの固定部に、導水溝部を設けた貯湯式温水器が知られている（特許文献１参照）。
【先行技術文献】
【特許文献】
【０００３】
【特許文献１】特開２００３−４２５６７号公報
【発明の概要】
【発明が解決しようとする課題】
【０００４】
しかしながら、特許文献１に示される温水器では、ケースとハウジングとからなる２部材の固定面にシール材を設けてシール性を確保すことにより、温水器が被水したり、給水配管や排水管から漏水した場合、水は導水溝部を伝わって温水器外部へ排水され、広範囲での浸水を抑制することはできるが、例えば、ハウジングに凹部が形成され、凹部の奥まった細かい部分のシール性を図ることは容易ではない。
【０００５】
また、奥まった細かい部分にシール材等を用いて温水器外部からの内部への浸水を抑制することもできるが、シール材を使用するとコストがかかり、経年劣化によりシール効果が徐々に低下して温水器内部に水が入り込んでしまうという問題点が生じ得る。
【０００６】
そこで、本発明は上記した問題点に鑑みて成されたものであり、従来のように温水器が被水した場合にでも、従来のように別部材であるシール材を用いることなく簡単な構成で、温水器内部の被水させたくない特定箇所（例えば、電子部品等が使用される制御部等）への被水を防止すること、また、水の温水器内部への侵入による漏電を防止することができる手洗い用電気温水器を提供することを課題とする。
【課題を解決するための手段】
【０００７】
本発明の課題を解決するために講じた手段は、ベースプレートと、前記ベースプレートの前方に設けられるヒーターと、電子回路が実装され、前記ヒーターへの通電を制御し、ベースプレートの前方に設けられる制御基板と、前記ヒーターと前記制御基板の前方に設けられ、略上下左右方向平面の前記制御基板側に開口部を有する前記制御基板の収納凹部を有し、前記ベースプレートと係合される基板ケースと、前記基板ケースの前方に設けられ、前記ベースプレートと係合されるハウジングと、前記基板ケース上方且つ前記ハウジングの凹部に設けられるコネクタ孔と、前記コネクタ孔に装着され、前記制御基板と電気的に接続されるコネクタと、前記コネクタ孔の下方に設けられ、前記基板ケースの前記制御基板を収納する配設面側の端面よりも前方に設けられ、前記コネクタ位置から前記ハウジング内に侵入した水を一方向へと案内する水案内部と、前記基板ケースの前記配設面の側とは反対側の非配設面の側へと前記水案内部より案内された水を誘導する第１導水路と、前記基板ケースに設けられ、前記第１導水路から誘導された水を前記非配設面に沿って前記ハウジングの下方へと誘導する第２導水路と、を有し、前記基板ケースは、前記水案内部と前記第１水路と前記第２水路とを前記基板ケースの左右の中央よりも前記コネクタ側に一体形成部として有する構成とした。
【０００８】
また、この場合、前記第１導水路は、前記第２導水路に向かって下方へ傾斜する構成であると良い。
【０００９】
また、前記ハウジングの底面は、前記ハウジング内と外部とを連通し、底面で最も低い位置にある開口部に向かって傾斜する構成であると良い。
【００１０】
また、前記コネクタ孔は前記ハウジングの側面の凹部の水平方向の閉塞面に設けられ、前記コネクタ孔の最下部は、前記凹部の最下部よりも高い位置にある構成であると良い。
【発明の効果】
【００１１】
本発明の手洗い用電気温水器は、水案内部と第１導水路と第２導水路とを用い、例えば、コネクタ孔よりハウジング内部に侵入した水の流れをうまく誘導することで、ハウジング内への水の侵入に対して従来使用していたシール材不要となり、電子部品が実装される制御基板等に代表される被水させたくない箇所への被水を簡単な構成、安価な構成により抑制することが可能となる。これにより、上記電気温水器が被水した場合にでも、温水器内部への水の侵入による漏電防止を図ることができる。
【００１２】
従来のようにシール材を用いないため、経年劣化によるシール効果の低下も防止でき、信頼性が向上する。
【００１３】
また、本発明の手洗い用電気温水器は、第１導水路は、第２導水路に向かって下方へ傾斜するため、水の自重を利用して第１導水路から第２導水路に確実に水を誘導することができる。
【００１４】
また、本発明の手洗い用電気温水器は、ハウジングの底面は、ハウジング内と外部とを連通し、底面で最も低い位置にある開口部に向かって傾斜するため、水の自重によりハウジングの底面から開口部に水を確実に誘導できる。
【００１５】
また、本発明の手洗い用電気温水器は、コネクタ孔はハウジングの側面の凹部の水平方向の閉塞面に設けられ、コネクタ孔の最下部は、凹部の最下部よりも高い位置にあるため、凹部に浸入した水がコネクタ孔に入る前に凹部の外に排出できる。
【図面の簡単な説明】
【００１６】
【図１】本発明の手洗い用電気温水器を洗面台下に取付けた場合の取付図である。
【図２】図１に示す手洗い用電気温水器の内部構成を示した説明図である。
【図３】図１に示す手洗い用電気温水器の斜視図である。
【図４】図１に示す手洗い用電気温水器の水案内部周辺での要所部分拡大図である。
【図５】ハウジングの裏面から見た要所部分拡大図である。
【図６】図３に示す手洗い用電気温水器の内部を裏面から見た構成図である。
【発明を実施するための形態】
【００１７】
以下、本発明の実施形態について、図面を参照して詳細に説明する。
【００１８】
図１は、本発明の手洗い用電気温水器１（以下、単に「温水器」と称す）を洗面台２の下に取付けた場合の取付図を示す。図１において、水は、洗面台２の下部にある水道３から止水栓４を介して温水器１の入水口５に水道圧によって圧送され導入される。水は、電気温水器１の内部で加熱されて湯となり、水道圧によって出湯口６から蛇口７へ送出される。電気温水器１には、電源コード８とアースコード８ａが接続されている。電源コード８とアースコード８ａには、漏電ブレーカ付きの電源プラグ８ｂが接続されている。電源プラグ８ｂは、洗面台２の下部にあるコンセント９に接続され、電源コード８を介して電気温水器１へ電力を供給する。アースコード８ａは、コンセント９のアース端子または水道管に接続される。また、電気温水器１は外面をハウジング１０で覆われている。
【００１９】
上記した洗面台２は、台所用流し台と云った他の水場で代用することも可能である。なお、洗面台２の下部にコンセント９が無い場合は、延長コードを使用して洗面台の近くのコンセントから電気温水器１へ電力を供給することも可能である。
【００２０】
洗面台２は、蛇口７の根元に設けられ、赤外線等によって人体を検知する人体検知センサ（図示せず）の信号に基づいて、電気温水器１内部に設けられる制御部となる制御基板１７（図２参照）に人検知信号が伝達され、図２に示す熱交換器１５を動作させることが可能である。
【００２１】
図２は、電気温水器１の内部の構成を示した説明図である。電気温水器１の構成要素は図２に示されるが、主として洗面台等の下に取付けられ、電気温水器１の取付けベースとなるベースプレート１１と、電子部品（図示せず）が実装される制御基板を覆う基板ケース２０と、ハウジング１０とを備える。電気温水器１は水道３からの水を内部に取入れるため、水道３には入水口５の一端が接続され、入水口５の他端は図６に示す流量バルブ５ａの一端が接続される。流量バルブ５ａの他端には、図２に示す給水ホース１２の一端が接続され、給水ホース１２の他端には流量検知器１３の一端が接続される。流量検知器１３の他端には吐水ホース１４の一端が接続され、吐水ホース１４の他端には熱交換ユニット１５（ヒーター）の一端が接続される。熱交換ユニット１５の他端には出湯ホース１６の一端が接続され、出湯ホース１６の他端には出湯口６の一端が接続される。そして出湯湯口６から蛇口７方向へと湯が送出される。取付けの基礎となるベースプレート１１には、水の通水または止水と水（湯）の温度を検知して熱交換ユニット１５への通電を制御する電子部品を実装した制御基板１７が基板ケース２０に収められた状態で取付けられている。制御基板１７には、電源コード８とアースコード８ａを介して１５ｍＡの漏電を検知して電源をＯＦＦにする電源プラグ８ｂが電気的に接続されている。本実施形態での熱交換ユニット１５の出力は、１２４０Ｗ、水の流量は１０００ｃｍ３／ｍｉｎ、湯の調整温度は最大で３９．５℃の定格のものを使用している。これは必要に応じ、熱交換ユニット１５の出力、水の流量、湯の調整温度を変更することは可能である。
【００２２】
図３は、電気温水器１を右前方から見た斜視図である。表面を覆う縦長のハウジング１０は、図３の左側面の上方に水平方向に凹んだ凹部１０ａを有する。凹部１０ａの底（最も深い位置）の側壁に図６の如く形成され、洗面台２の人体検知センサと接続され制御基板１７に電気的に接続されるコネクタ１９が取付けられるコネクタ孔１８を有する。また、電気温水器１は、ハウジング１０内に、電子部品が実装される制御基板１７の配設面（実装面）を覆う樹脂から成る基板ケース２０を備える。基板ケース２０は、図６に示す上方左側に、コネクタ１９とコネクタ孔１８との間のわずかながらの隙間から侵入する水を、下方でハウジング内壁面より受け、自由端がコネクタ孔１８の側壁よりも内側まで延在し且つ下方に向けて傾斜し所定方向（一方向）へと案内する水案内部２１が、基板ケース２０の配設面とは反対側の非配設面の一部に一体で形成されている。この水案内部２１は基板ケース２０に一体で形成しているが、別体であっても良い。また、基板ケース２０は、水案内部２１から基板ケース２０に向かって延設され、水案内部２１より直線状に延在し、水案内部２１より案内された水を非配設面まで確実に誘導する第１導水路２２と、基板ケース２０の非配設面に形成され、第１導水路２２の自由端の直下の位置で、第１導水路２２の自由端から下方位置に所定距離だけ離間した状態で基板ケース２０下端へと鉛直方向に延在した長方形状のリブを呈する第２導水路２３とを有する。長方形状の第２導水路２３は、図６において基板ケース２０の右側で水平および上下方向に格子状に形成されている所定高さを有するリブと共に基板ケース２０の補強を兼ねている。
【００２３】
図４は、水案内部２１周辺の要所部分拡大図である。水案内部２１は、コネクタ１９取付け時にコネクタ１９とコネクタ孔１８との間から侵入する水をコネクタ下方に効率良く集められるようプレス加工または樹脂成形され、ベースプレート側に固定されている。水案内部２１は、図４に示す左右の端部がフランジ状となりコネクタ位置の周囲に平面を有する第１水案内部２１ａと、第１水案内部２１ａから延在し第１水案内部２１aより幅が狭くなった第２水案内部２１ｂと、第２水案内部２１ｂの図４に示す左端で鉛直方向に向かって突出するリブ２１ｃと、固定面となる水案内部壁２１ｄとを備える。また、第１導水路２２は、図４に示すようにコネクタ背面より前方へと延在し、基板ケース側に向かって延在し、下方向に傾斜する。そして、水案内部２１及び第１導水路２２の左右方向における幅は、コネクタ孔１８の大きさより大きく、下方に向かって狭くなり、その先に連続的に幅一定の第１導水路２２が設けられる。第１導水路２２は、基板ケース２０に対して電子部品が実装される制御基板１７の配設側と反対の面に侵入する水を誘導する。
【００２４】
一方、第２導水路２３は、第１導水路２２の自由端の直下の位置に基板ケース側にリブ状で設けられ、第１突接部２３ａの右側側面と第２突接部２３ｂの左側側面が水が下方へと流れる通路となっており、第１突接部２３ａと第２突接部２３ｂとのリブ高さは第１導水路２２の高さと同じである。
【００２５】
図５は、ハウジング１０の裏面から見た場合の要所部分拡大図である。ハウジング１０裏面は、第１導水路２２と少し下方向にオフセットした位置に対向して設けられる第３導水路２４を有する。第３導水路２４は右方向に延在し下方向に傾斜する。また、第３導水路２４は左端部で上方向に向かって突出するリブ２４ａを有する。また、第３導水路２４の上面と第１導水路２２の下面とが重なるように設けられている。
【００２６】
図６は、電気温水器１の内部を裏面から見た構成図である。コネクタ１９は、ハウジング１０に形成された凹部１０aにおいてハウジング内側よりコネクタ孔１８に取付けられている。凹部１０ａの下面１０ｂは、左方向において下方に傾斜する。第２導水路２３は、第１突接部２３ａと第２突接部２３ｂを有し、第１突接部２３ａは基板ケース２０の電子部品が実装される部分（図６において基板ケース２０の右側で水平および鉛直方向に格子状のリブが形成されている部分）とは反対の上下方向に延設され、第２突接部２３ｂは基板ケース２０中心から右側にかけて上下方向及び左右方向に延設される。また、第１突接部２３ａの右側側面は、第１導水路２２の右端部と同一線上にある。そして、第１突接部２３ａは第１突接部上端部２３ｃを有し、第１突接部上端部２３ｃは右方向に下がるように傾斜する形状である。さらに、ハウジング１０内のハウジング底面１０ｃは、ハウジング底面１０ｃの最も低い位置に開口部１０ｄを有し、ハウジング底面１０ｃ上の水を開口部１０ｄに向かって誘導するよう、ハウジング底面１０ｃは開口部１０ｄに向かって傾斜する形状となっている。
【００２７】
次に、本発明の実施形態の動作について、説明する。例えば、電気温水器１を清掃する際や、洗面台２や水道３から漏水した際、電気温水器１が結露した際、ハウジング１０の凹部１０ａが被水する場合がある。
【００２８】
ハウジング１０の凹んだ凹部１０ａに被水を受けると、凹部１０ａの下面１０ｂは、左方向に向けて下方向に傾斜するため、水をハウジング外部（ハウジング１０左側面方向）へと誘導することができる。しかしながら、ハウジング１０のコネクタ孔１８に対して外部より直接水がかかった際、下面１０ｂの傾斜で誘導しきれない量の水が凹部１０ａに浸入した際、コネクタ孔１８がハウジング１０に形成されていることから、ハウジング１０内に水が浸入することが起こり得る。
【００２９】
コネクタ孔１８とコネクタ１９との隙間からハウジング１０内に侵入した水は、コネクタ孔１８の直下に設けられた第１水案内部２１ａ、第２水案内部２１ｂの少なくともいずれかに滴下する。第１水案内部２１ａはコネクタ19の周囲において水案内部壁２１ｄに囲まれるため、第１水案内部２１ａに滴下した水は、第２水案内部２１ｂそして第１導水路２２へと導かれる。また第２水案内部２１ｂは、第１水案内部２１ａから連続して下方へと傾斜するため、ハウジング１０内面を左方向へ伝った水も捉え、上方向に向かって突出するリブ２１ｃにより第２水案内部２１ｂ内に水を留めるため、第２水案内部２１ｂに滴下・流入した水は第２水案内部２１ｂに集約される。第２水案内部２１ｂに集約された水は第１導水路２２を伝って、その直下の第２導水路２３へと伝わる。また、第１導水路２２から伝った水や、ハウジング１０内面を伝って伝った水は、ハウジング１０内面に設けられる第３導水路２４で捉えて、第２導水路２３に流入する。第１導水路２２や第３導水路２４から第２導水路２３に流入した水は、第１突接部２３ａと第２突接部２３ｂとの間を伝い落ちたり、第１突接部２３ａの右側面を基板ケース２０の制御基板１７が設けらる側とは反対の非配設面に沿って伝い落ちたり、第２突接部２３ｂの左側面の非配設面に沿ってを伝い落ちたり、第１突接部上端部２３ｃの傾斜を伝い第１突接部２３ａの右側面を伝い落ちたりすることによって、基板ケース２０より下方に位置するハウジングの底面１０ｃに滴下する。基板ケース２０よりハウジング底面１０ｃに滴下した水は、ハウジング底面１０ｃに設けられた傾斜により開口部１０ｄへと誘導され、電気温水器外部へと排出される。
【００３０】
本発明の実施形態の効果について説明する。水案内部２１と第１導水路２２と第２導水路２３とをハウジング１０内に設けて侵入した水の流れを導くことで、図６に示す基板ケース２０の右側の格子状のリブが形成された部位の裏側に配設される制御部に水が伝わらないようにすることができる。上記した構成によれば、従来、用いていたシール材を用いず、流量検知器１３や熱交換ユニット１５、電子部品が実装される制御基板１７といった被水させたくない箇所への水の侵入を簡単な構成により確実に抑制することができる。さらに水案内部２１、第１導水路２２、第２導水路２３は、基板ケース２０と一体に設けられシール材を用いないため、コストを抑える、経年劣化によるシール効果の低下を防止することができる。
【００３１】
第１導水路２２は、第２導水路２３に向かって下方へ傾斜するため、重力により第１導水路２２から第２導水路２３に水を誘導できる。
【００３２】
ハウジング底面１０ｃは、ハウジング１０内と外部とを連通し、ハウジング底面１０ｃで最も低い位置にある開口部１０ｄに向かって傾斜するため、重力によりハウジング底面１０ｃから開口部１０ｄに水を誘導できる。
【００３３】
コネクタ孔１８は、ハウジング１０の側面に開口を有する水平方向に形成された凹部１０ａの水平方向の閉塞面１０ｅに設けられ、コネクタ孔１８の最下部は、凹部１０ａの最下部よりも高い位置にあるため、凹部１０ａに浸入した水がコネクタ孔１８に入る前に凹部１０ａの外に排出できる。
【００３４】
第２導水路２３の第１突接部２３ａ及び第２突接部２３ｂを設けることで、ハウジング１０内に侵入した水を任意のハウジング底面１０ｃ上に落とすことを可能とするとともに基板ケース２０の強度もあげることができる。
【００３５】
第３導水路２４を設けることで、第１導水路２２から前方向に伝った水や、ハウジング１０内面を伝って前方向に伝った水を第２導水路２３に誘導できる。
【００３６】
なお、本発明は、上記実施形態に限定されるものではなく、以下に示す態様に変更しても良い。
【００３７】
・コネクタ孔１８は凹部１０ａに設けられているが、ハウジング１０側面に設けられても良い。
【００３８】
・凹部１０ａの下面１０ｂは出口に向かって下方に傾斜しているが、コネクタ孔１８より凹部１０ａの出口側下面が低ければ良い。
【００３９】
・水案内部２１と第１導水路２２は一体に設けられているが、個々に設けられた形状でも良い。
【００４０】
・第２導水路２３は第１突接部２３ａ及び第２突接部２３ｂを基板ケース２０下端まで設けられて、ハウジング底面１０ｃに水を導くが、基板ケース２０の途中まででも良い。
【００４１】
・開口部１０ｄより水を外部へと排出しているが、ハウジング底面１０ｃの合わせ面などの隙間から排出しても良い。
【００４２】
・第３導水路２４を設けているが、第３導水路２４を設けず第１導水路２２をハウジング１０内面と接するように設けても良い。
【符号の説明】
【００４３】
１    手洗い用電気温水器（電気温水器）
１０  ハウジング
１５  熱交換ユニット（ヒーター）
１７  制御基板
１８  コネクタ孔
１９  コネクタ
２０  基板ケース
２１  水案内部
２２  第１導水路
２３  第２導水路
【図１】
0005910017.tif 000002
【図２】
0005910017.tif 000003
【図３】
0005910017.tif 000004
【図４】
0005910017.tif 000005
【図５】
0005910017.tif 000006
【図６】
0005910017.tif 000007